(57)【要約】      （修正有）【課題】効果的に格納スペースを確保し、オゾンが過って漏れて室内空間を満たすことを防止する隠れオゾン装置付き水栓を提供する。【解決手段】隠れオゾン装置付き水栓は、本体１０とオゾン装置２０を有する。本体は、ベース管１１、入口管１３、連結管１６、出口管１４、および作動部１７を有する。連結管はベース管に取り付けられる。出口管は本体に取り付けられる。作動部は溶解部１７１とフィルタ部１７２とを有する。溶解部は作動部に取り付けられ、出口管と連結される。フィルタ部は溶解部と連結され、フィルタ部の底面に下向きに形成された液体出口を有する。オゾン装置は本体と連結され、マシーン２１とオゾン管２２とを有する。オゾン管はマシーンと作動部の溶解部との間に連結され、ベース管および連結管に挿入される。【選択図】図１
0003200569.tif 000002
【実用新案登録請求の範囲】
【請求項１】
隠れオゾン装置付き水栓であって、本体とオゾン装置を備え、
前記本体は、
ベース管と、
前記ベース管の先端部の内部に取り付けられるバルブであって、前記バルブの先端部に形成された前記べース管の先端部から突き出ているピボットを備えるバルブと、
前記バルブと通じる入口管と、
前記ベース管の側面に搭載され、前記ベース管と通じる連結管であって、前記ベース管の前記側面と連結される連結端部、前記連結端部の反対側にある自由端、および前記連結間の側面に下向きに形成され前記自由端に隣接している出口部、を備える連結管と、
前記ベース管および前記連結管に取り付けられ、前記バルブと通じ、前記出口部に挿入される出口管と、
前記バルブの前記ピボットに取り付けられ、前記ベース管の先端部に位置する制御部と、
前記出口部に取り付けられる作動部であって、前記作動部の上半分内に取り付けられ、前記出口部の底面と連結し、前記出口管と連結する溶解部と、前記作動部の下半分内に取り付けられ、前記溶解部の底面と連結し、前記フィルタ部の底面に下向きに形成された液体出口を備えるフィルタ部、とを備える作動部、を備え、
前記オゾン装置は、前記本体に連結し、
マシーンと、
前記マシーンと前記作動部の前記溶解部との間に連結し、前記ベース管および前記連結管に挿入されるオゾン管、を備える、
隠れオゾン装置付き水栓。
【請求項２】
前記連結管に取り付けられ、前記作動部に取り付けられた前記オゾン管と前記出口管とに隣接しているセンサとを備える注意信号灯、をさらに備える、請求項１に記載の隠れオゾン装置付き水栓。
【考案の詳細な説明】
【技術分野】
【０００１】
本考案は水栓に関する、特に隠れオゾン装置付き水栓に関する。
【背景技術】
【０００２】
従来のオゾン装置はオゾンを生成する。該オゾンは水に溶かすことができる。従来のオゾン装置は従来の水栓と組み合わせることができる。オゾン装置は水栓の出口と連結したオゾン管を有している。オゾン装置から生成されたオゾンは水栓へ流れて水に溶ける。その後、その水は果実や野菜を洗うために使用され、果実や野菜の表面の残留農薬を取り除くことができる。さらに、水中のアンモニアを取り除くこともできる。また、水に溶けたオゾンは水中の寄生虫、ウィルスおよび細菌を攻撃することもできる。
【０００３】
しかしながら、従来のオゾン装置のオゾン管は水栓の外部に取り付けられており、付加的な空間を占めている。さらに、もしオゾンが過って漏れた場合、オゾンが室内空間を満たすのを防止できない。オゾンはユーザに対して有毒なため、ユーザのオゾン被毒の危険性が増大する。
【考案の概要】
【考案が解決しようとする課題】
【０００４】
本考案の主な目的は、隠れオゾン装置付き水栓を提供して上記の課題を解決することである。
【課題を解決するための手段】
【０００５】
隠れオゾン装置付き水栓は本体とオゾン装置を備える。
【０００６】
本体はベース管、バルブ、入口管、連結管、出口管、制御部および作動部を備える。バルブはベース管の内部に取り付けられ、バルブの先端部に形成されベース管の先端部から突き出ているピボットを備える。入口管はバルブと通じている。連結管はベース管の側面に取り付けられ、ベース管と通じている。連結管は連結端部、自由端および出口部を備える。連結端部はベース管の側面と連結している。自由端は連結端部の反対側にある。出口部は連結管の側面に下向きに形成され、自由端に隣接している。出口管はベース管および連結管の中に取り付けられ、バルブと通じ、出口部に挿入されている。制御部はバルブのピボットに取り付けられ、ベース管の先端部に位置している。作動部は出口部に取り付けられ、溶解部とフィルタ部とを備える。溶解部は作動部の上半分内に取り付けられ、出口部の底面と連結し、出口管と通じている。フィルタ部は作動部の下半分内に取り付けられ、溶解部の底面と連結し、フィルタ部の底面に下向きに形成された液体出口を備える。
【０００７】
オゾン装置は本体と連結し、マシーンとオゾン管を備える。オゾン管はマシーンと作動部の溶解部との間に連結され、ベース管および連結管に挿入される。
【０００８】
上記の説明から、本考案は以下の利点を有することに注目されたい。
オゾン管がベース管および連結管の中に取り付けられているため、マシーンはベース管および連結管の内部を通してオゾンを運搬することができる。オゾン管は付加空間を取らないため、隠れオゾン殺菌装置付き水栓は効果的に格納スペースを確保することができ、すっきりとした外観を有する。さらに、オゾン管はベース管および連結管の中に取り付けられているので、オゾンが室内空間を満たすのを防止できる。オゾン管のオゾンが過って漏れたとき、ユーザのオゾン被毒の危険性を効果的に低減させることができる。
【０００９】
本考案の他の目的、利点および新しい特徴は、添付の図面と関連づけられる以下の詳細な説明から、更に明らかになるであろう。
【図面の簡単な説明】
【００１０】
【図１】本考案による隠れオゾン装置付き水栓の好ましい実施形態の部分的な断面側面図である。
【図２】図１の隠れオゾン装置付き水栓の部分的な作動側面図である。
【図３】図１の隠れオゾン装置付き水栓の部分的な作動側面図である。
【考案を実施するための形態】
【００１１】
図１と図２を参照する。本考案による隠れオゾン装置付き水栓の好ましい実施形態は、本体１０、オゾン装置２０および注意信号灯３０を備える。
【００１２】
本体１０は、ベース管１１、バルブ１２、入口管１３、連結管１６、出口管１４、制御部１５および作動部１７を備える。
ベース管１１は直立した管として配置され、ベース管１１の底面は洗面器５０と組み合わされている。バルブ１２はベース管１１の先端部の内部に取り付けられている。バルブ１２は市販のバルブであってもよい。バルブ１２は入口孔と出口孔を備え、双方ともバルブ１２の底面に形成されている。バルブ１２はさらにバルブ１２の先端部に形成されてベース管１１の先端部から突き出したピボット１２１を備える。ピボット１２１は出口孔が開閉するのを制御するために使用される。入口管１３はベース管１１に取り付けられ、第１端部と第２端部を備える。入口管１３の第１端部はベース管１１から突き出ていて液体源と連結し、入口管１３の第２端部はバルブ１２の入口孔に通じている。
【００１３】
連結管１６はベース管１１の側面に取り付けられ、ベース管１１に通じている。連結管１６はベース管１１に対して傾いて上方に延びている。連結管１６は連結端部１６１、自由端１６２および出口部１６３を備えている。連結端部１６１はベース管１１の側面と連結している。自由端１６２は連結端部１６１の反対側にある。出口部１６３は連結管１６の側面に下向きに形成され、自由端１６２に隣接している。
ている。
【００１４】
出口管１４はベース管１１および連結管１６の中に取り付けられ、第１端部と第２端部を備える。出口管１４の第１端部はバルブ１２の出口孔に通じている。出口管１４の第２端部は出口部１６３に取り付けられている。制御部１５はバルブ１２のピボット１２１に取り付けられてベース管１１の先端部に位置している。制御部１５は、回転して入口管１３にある液体を制御するために使用され、液体はバルブ１２を通って出口管１４へ流れる。
【００１５】
作動部１７は出口部１６３に取り付けられ、溶解部１７１とフィルタ部１７２を備える。溶解部１７１は作動部１７の上半分内に取り付けられ、出口部１６３の底面と連結する。出口管１４の第２端部は溶解部１７１と連結する。フィルタ部１７２は作動部１７の下半分内に取り付けられ、溶解部１７１の底面と連結し、フィルタ部１７２の底面に下向きに形成された液体出口１７３備える。
【００１６】
オゾン装置２０は本体１０と連結し、マシーン２１とオゾン管２２を備える。マシーン２１は立方体として形成されてもよい。図２を参照する。マシーン２１はキャビネット４０に取り付けることもできる。オゾン管２２はベース管１１および連結管１６に挿入されて、第１端部と第２端部を備える。オゾン管２２の第１端部はマシーン２１と連結する。オゾン管２２の第２端部は溶解部１７１と連結する。
【００１７】
注意信号灯３０は連結管１６に取り付けられ、センサ３１を備える、センサ３１は作動部１７に取り付けられ、オゾン管２２の第２端部と出口管１４の第２端部に隣接している。センサ３１は作動部１７の溶解部１７１がオゾンで満たされているかどうかを検知するために使用される。
【００１８】
使用中の図２と図３を参照する。ベース管１１は洗面器５０の先端部と組み合わされ、オゾン装置２０は洗面器５０の底面に取り付けられているキャビネット４０に取り付けられている。入口管１３の第１端部は液体源と連結する。制御部１５はユーザにより切り替え可能で、ピボット１２１を回転させ、バルブ１２の出口孔が開閉するのを制御する。バルブ１２の出口孔が開いている場合、入口管１３の液体はバルブ１２の出口孔を通って出口管１４へ流れて、その後出口管１４を通って溶解部１７１へ流れることが可能である。
オゾン装置２０のマシーン２１はオゾンを生成することができ、オゾンはオゾン管２２を通って溶解部１７１へ流れることが可能である。センサ３１は溶解部１７１がオゾンで満たされていることを検知すると、注意信号灯３０のスイッチが入りユーザにオゾン装置２０が作動していることを知らせる。液体とオゾンが溶解部１７１で十分に溶解した後に、液体はフィルタ部１７２へ流れ、液体中の不純物を濾過して取り除く。最後に、液体は液体出口１７３から流れ出て、そこで液体がオゾンにより殺菌され、フィルタ部１７２により濾過される。
付加的な空間を取っている従来のオゾン装置と組み合わされている従来の水栓と比べると、オゾン管２２がベース管１１と連結管１６の中に取り付けられているので、本考案による隠れオゾン装置付き水栓は格納スペースを効果的に確保することができる。さらに、オゾン管２２のオゾンが過って漏れた場合、オゾン管２２はベース管１１、連結管１６、洗面器５０およびキャビネット４０に取り付けられているので、オゾンが室内空間を満たすのを防止することができる。したがって、オゾン管２２のオゾンが過って漏れたとき、ユーザのオゾン被毒の危険性を効果的に低減することができる。
【００１９】
本考案の多くの特徴と利点が、本考案の構造と機能の詳細と共に上記説明に記載されたとしても、本開示は単なる例示であり、部品の形状、寸法および配置に関し、特に本考案の原理内で、添付の請求項により表わされる用語の広い一般的な意味により示される範囲で詳細な変更がなされてもよい。
【図１】
0003200569.tif 000003
【図２】
0003200569.tif 000004
【図３】
0003200569.tif 000005